(57)【要約】  取付面からの突出量を抑制することができ、ロック状態および解除状態の視認を容易に行え、ロック操作や解除操作での破損を防止することができる電子機器の筐体係合装置を提供する。本発明における電子機器の筐体係合装置は、電子機器を収容するための筐体であって、少なくとも一方に開口部を有する筐体と、前記筐体の開口部を少なくとも部分的に覆う蓋体と、前記筐体および前記蓋体のいずれかに揺動可能に設けられ、前記筐体および前記蓋体のロックおよび解除を行うための少なくとも一つのレバー部材と、を備え、前記レバー部材は、少なくとも解除状態において前記蓋体に対して突出してなる突出部と、前記筐体および前記蓋体のいずれかに回動可能に設けられる軸部と、前記突出部に対して角度をつけて設けられ、前記筐体および前記蓋体のいずれかを係止するように形成される係止部と、前記軸部から前記突出部の反対側に設けられ、前記突出部に作用する力を用いて前記蓋体を押し出すように形成される押出部と、を備える。
2017094054.tif 000002
【特許請求の範囲】
【請求項１】
電子機器を収容するための筐体であって、少なくとも一方に開口部を有する筐体と、
前記筐体の開口部を少なくとも部分的に覆う蓋体と、
前記筐体および前記蓋体のいずれかに揺動可能に設けられ、前記筐体および前記蓋体のロックおよび解除を行うための少なくとも一つのレバー部材と、を備え、
前記レバー部材は、
少なくとも解除状態において前記蓋体に対して突出してなる突出部と、
前記筐体および前記蓋体のいずれかに回動可能に設けられる軸部と、
前記突出部に対して角度をつけて設けられ、前記筐体および前記蓋体のいずれかを係止するように形成される係止部と、
前記突出部に作用する力を用いて前記蓋体を押し出すように形成される押出部と、
を備える、ことを特徴とする電子機器の筐体係合装置。
【請求項２】
前記レバー部材は、前記筐体に揺動可能に設けられ、
前記突出部は、前記レバー部材のロック状態において前記蓋体の外側に突出してなり、
前記係止部は、前記レバー部材のロック状態において前記蓋体を係止するように、前記突出部に直交して設けられ、
前記押出部は、前記レバー部材の解除状態において前記蓋体の面に接触して前記蓋体を押し出すように形成される、ことを特徴とする請求項１に記載の電子機器の筐体係合装置。
【請求項３】
前記軸部の両端には、Ｄカットが形成されている、ことを特徴とする請求項１または２に記載の電子機器の筐体係合装置。
【請求項４】
前記電子機器は、パネル面に取り付けられる、ことを特徴とする請求項１から３のいずれか１つに記載の電子機器の筐体係合装置。
【請求項５】
前記突出部は、前記解除状態において前記筐体に係止するように形成されている、ことを特徴とする請求項２に記載の電子機器の筐体係合装置。
【請求項６】
前記レバー部材は、前記解除状態であることを示す解除状態表示部を有し、
前記解除状態表示部は、前記解除状態にあるときには見える位置に、前記ロック状態にあるときには見えない位置となるように構成されている、請求項１から５のいずれか１つに記載の電子機器の筐体係合装置。
【発明の詳細な説明】
【技術分野】
【０００１】
本発明は、電子機器の筐体係合装置に関し、特にパネル面に取り付けられる温度調節計の筐体係合装置に関するものである。
【背景技術】
【０００２】
従来において、パネル面等に取り付けて使用される温度調節計などの電子機器が知られている。図８および図９に、従来の筐体係合装置を備える電子機器を示す。これらの図に示される電子機器１は、電子機器１を収容する開口部を有する筒型の筐体２と、筐体２の開口部を覆う蓋体３とを備えている。筐体２と蓋体３との間には、スライド変位可能な解除部材４が配設されている。筐体２は、前面側開口部の近傍に係止穴５を有している。この係止穴５に解除部材４を係止させることで、蓋体３と筐体２がロックされるように構成されている。また、ドライバ等の治具を介して解除部材４を水平方向にスライド変位させることで、蓋体３と筐体２が解除されるように構成されている。
【先行技術文献】
【特許文献】
【０００３】
【特許文献１】特許第４３７０４６８号公報
【発明の概要】
【発明が解決しようとする課題】
【０００４】
従来の電子機器１に用いられる筐体係合装置は、解除部材４用の係止穴５がパネル面５０よりも外側に露出するように、取り付けられる必要がある（図１０参照）。また、解除部材４のスライド変位する寸法を確保する必要もあるため、パネル面５０からの突出量がその分大きくなってしまい、利便性の面で改良が望まれていた（図１０参照）。
また、従来の電子機器１に用いられる筐体係合装置は、ロック状態と解除状態の判別が困難であった。さらに、解除部材４の位置が視認できないため、予定していない位置でドライバ等の治具が解除部材４に当たる等の要因で解除部材４に無理な力が加わると、破損の原因となる点が、課題として残されていた。
この発明は上述のような課題を解決するためになされたもので、取付面からの突出量を抑制することができ、ロック状態および解除状態の視認を容易に行うことができ、ロック操作や解除操作での破損を防止することができる、電子機器の筐体係合装置を提供することを目的とする。
【課題を解決するための手段】
【０００５】
本発明は上記の課題を解決する手段として、以下の構成を有する。
（構成１）
電子機器を収容するための筐体であって、少なくとも一方に開口部を有する筐体と、
前記筐体の開口部を少なくとも部分的に覆う蓋体と、
前記筐体および前記蓋体のいずれかに揺動可能に設けられ、前記筐体および前記蓋体のロックおよび解除を行うための少なくとも一つのレバー部材と、を備え、
前記レバー部材は、
少なくとも解除状態において前記蓋体に対して突出してなる突出部と、
前記筐体および前記蓋体のいずれかに回動可能に設けられる軸部と、
前記突出部に対して角度をつけて設けられ、前記筐体および前記蓋体のいずれかを係止するように形成される係止部と、
前記突出部に作用する力を用いて前記蓋体を押し出すように形成される押出部と、
を備える、ことを特徴とする電子機器の筐体係合装置。【０００６】
（構成２）
前記レバー部材は、前記筐体に揺動可能に設けられ、
前記突出部は、前記レバー部材のロック状態において前記蓋体の外側に突出してなり、
前記係止部は、前記レバー部材のロック状態において前記蓋体を係止するように、前記突出部に直交して設けられ、
前記押出部は、前記レバー部材の解除状態において前記蓋体の面に接触して前記蓋体を押し出すように形成される、ことを特徴とする構成１に記載の電子機器の筐体係合装置。【０００７】
（構成３）
前記軸部の両端には、Ｄカットが形成されている、ことを特徴とする構成１または２に記載の電子機器の筐体係合装置。【０００８】
（構成４）
前記電子機器は、パネル面に取り付けられる、ことを特徴とする構成１から３のいずれか１つに記載の電子機器の筐体係合装置。【０００９】
（構成５）
前記突出部は、前記解除状態において前記筐体に係止するように形成されている、ことを特徴とする構成２に記載の電子機器の筐体係合装置。【００１０】
（構成６）
前記レバー部材は、前記解除状態であることを示す解除状態表示部を有し、
前記解除状態表示部は、前記解除状態にあるときには見える位置に、前記ロック状態にあるときには見えない位置となるように構成されている、構成１から５のいずれか１つに記載の電子機器の筐体係合装置。
【発明の効果】
【００１１】
この発明によれば、前記蓋体で前記筐体を少なくとも部分的に覆った状態で前記少なくとも一つのレバー部材を揺動させることで、前記筐体および前記蓋体のロックおよび解除を行うことができる。このため、従来のような解除部材用の係止穴を設けたり解除部材のスライド変位する寸法を確保する必要が無くなり、取付面からの突出量を大幅に低減することが可能となる。また、解除状態とロック状態とで、レバー部材の向きが大きく異なるため、いずれの状態であるかの判別を容易に行うことができる。そして、従来のような治具を用いなくてもロックおよび解除の動作を行うことができるため、ロック操作や解除操作での破損を防止することができる。
【図面の簡単な説明】
【００１２】
【図１】本発明の実施形態における電子機器の筐体係合装置の分解斜視図である。
【図２】図１の筐体係合装置をパネル面に取り付けた状態を示す斜視図である。
【図３】図１の筐体係合装置の閉止状態を示す拡大斜視図である。
【図４】図１の筐体係合装置の解除動作を示す拡大斜視図である。
【図５】図１の筐体係合装置の解除動作を示す拡大斜視図である。
【図６】図１の筐体係合装置の解除動作を示す拡大斜視図である。
【図７】図１の筐体係合装置の解除状態を示す拡大斜視図である。
【図８】従来の筐体係合装置を備える電子機器を示す斜視図である。
【図９】図８の筐体係合装置を示す拡大斜視図である。
【図１０】図８の筐体係合装置をパネル面に取り付けた状態を示す斜視図である。
【発明を実施するための形態】
【００１３】
以下、本発明を実施するための最良の形態について、図面を参照しながら、さらに具体的に説明する。
実施の形態１．
図１は、本発明の実施形態における電子機器の筐体係合装置の分解斜視図である。同図に示すように、本実施形態における電子機器の筐体係合装置２０は、電子機器を収容するために、前面および後面を開口してなる開口部を有する筒型の筐体２１を備えている。筐体２１の前面には、フランジ部２３が設けられ、フランジ部２３の上下には、後述するレバー部材３０を挿入するための挿入部４０が形成されている。
また、本実施形態における電子機器は、パネル面５０に取り付けられる（図２参照）。なお、収容される電子機器は、従来と同様であるため、図示を省略している。電子機器は、特に限定されるものではないが、例えば温度制御装置を好適に用いることができる。
【００１４】
筐体係合装置２０は、筐体２１の前面側開口部を少なくとも部分的に覆う前面蓋体２２を備えている。本実施形態の前面蓋体２２は、電子機器の表示部が視認できるように、一部開口されているが、用途によっては、全面を覆うような蓋体であってもよい。
筐体係合装置２０は、筐体２１および前面蓋体２２のロックおよび解除を行うための、一対のレバー部材３０、３０を備えている。本実施形態において、レバー部材３０、３０は、筐体２１のフランジ部２３の上縁側中央部および下縁側中央部に形成された挿入部４０に、揺動可能に設けられる。
【００１５】
レバー部材３０および挿入部４０の構成並びにレバー部材３０の動作について、図３〜図７を用いて説明する。なお、これらの図には、上側のレバー部材３０および挿入部４０が示されているが、下側のレバー部材３０および挿入部４０も同様に（対称に）構成されている。これらの図に示されるように、レバー部材３０は、筐体２１に回動可能に設けられる軸部３１と、軸部から断面略ｌ字状に延在する基部３５と、基部３５の先端側に断面略逆Ｌ字状に形成されてなる突出部３２およびリブ部３３を備えている。本実施形態において、軸部３１両側の端部３６には、Ｄカットが形成されている。一方、挿入部４０にも、Ｄカットに対応する嵌合部４６が形成されている。これにより、レバー部材３０の着脱方向がＤカットにより規定されるため、解除やロック動作を行う際にレバー部材３０が脱落することを防止することができる。
【００１６】
レバー部材３０の突出部３２は、前面蓋体２２に対して突出するように形成されている。本実施形態において、突出部３２は、ロック状態で前面蓋体２２よりも前方に突出しており（図３参照）、解除状態において前面蓋体２２よりも上方（下側のレバー部材３０においては下方）に突出するように構成されている。また、レバー部材３０の係止部を構成するリブ部３３は、突出部３２に対して直交するように設けられている。本実施形態において、リブ部３３は、レバー部材３０の中央部に設けられ、ロック状態において、前面蓋体２２に形成された断面略Ｃ字状の係止溝４２に収容され、係止溝４２を形成する内側壁面４４に係止される。また、係止溝４２の内側壁面４４に対向する外側壁面４１は、リブ部３３を案内できるように湾曲したガイド面を形成している。
【００１７】
本実施形態において、リブ部３３の外側面下部（前面蓋体２２に接触する側）には、前面蓋体２２を押し出すための押出部３４が形成されている。一方、挿入部４０には、押出部３４に対向する部位に、押出部当接面４３が形成されている。
【００１８】
次に、筐体係合装置２０の動作について説明する。本実施形態では、レバー部材３０のロックまたは解除動作を、上下のレバー部材３０を同時に操作することにより行う。なお、以下において、ロック状態にある上側のレバー部材３０を解除状態にする場合を説明するが、下側のレバー部材３０についても同様に操作される。
まず、図３において、ロック状態のレバー部材３０が示されている。この状態では、レバー部材３０の突出部３２は前面蓋体２２よりも前方に突出しており、リブ部３３は挿入部４０に収容されて内側壁面４４に係止されている。作業者は、レバー部材３０の突出部３２を右上側に持ち上げるように力を加える（図３の矢印Ａ）。これに伴い、レバー部材３０の基部３５および軸部３１には、反対側（左下側）に回転力が加わる（図３の矢印Ｂ）。
【００１９】
レバー部材３０の突出部３２が持ち上がると、図４に示されるように、リブ部３３は挿入部４０の外側壁面４１に沿って上方に案内され、押出部３４が押出部当接面４３に接触する。突出部３２がさらに持ち上げると、図５に示されるように、押出部３４が押出部当接面４３を押圧して（矢印Ｃ）、前面蓋体２２が前方に若干押し出される。そして、突出部３２がさらに持ち上がると、押出部３４が押出部当接面４３を押圧して（矢印Ｃ）、図６に示されるように、前面蓋体２２がさらに前方に若干押し出される。押出部３４が立ち上がるに従って、リブ部３３と外側壁面４１との接触面積が減少し、図６の状態では完全に離隔される。これにより、作業者が感じる負荷が変化するため、ロック状態が完全に解除されたことを触感によっても把握することができる。
【００２０】
そして、図７に示されるように、レバー部材３０の突出部３２を略垂直（概ね９０度）になるまで持ち上げてレバー部材３０の姿勢を安定させることで、作業者が容易に前面蓋体２２を筐体２１から取り外すことができる。
【００２１】
以上のように、実施の形態の電子機器の筐体係合装置によれば、前面蓋体２２で筐体２１を少なくとも部分的に覆った状態で一対のレバー部材３０を揺動させることで、筐体２１および前面蓋体２２のロックおよび解除を行うことができる。このため、従来のような解除部材４用の係止穴を設けたり解除部材４のスライド変位する寸法を確保する必要が無くなり、取付面であるパネル面５０からの突出量を大幅に低減することが可能となる（図２および図１０参照）。
また、解除状態とロック状態とで、レバー部材３０の向きが大きく異なるため、いずれの状態であるかの判別を容易に行うことができる。
そして、従来のような治具を用いなくてもロックおよび解除の動作を行うことができるため、ロック操作や解除操作での破損を防止することができる。
また、筐体係合装置の上下に一対のレバー部材を設けているため、複数の筐体係合装置を支障なく並設することができる。
また、レバー部材３０のロックまたは解除動作を、上下のレバー部材３０を同時に操作することにより行うため、誤動作によりロックが解除されてしまう事態を確実に防止することができる。さらに、リブ部３３は、レバー部材３０の中央部に設けられているので、図４〜図６等に示されるように、前面蓋体２２が筐体均等に押し出されるようになる。
【００２２】
変形例．
本発明は前述した実施形態に限定されるものではなく、本発明の要旨の範囲内、または、特許請求の範囲の均等範囲内で、各種の変形実施が可能である。
例えば、実施形態において、筐体係合装置をパネル面に取り付けた場合を説明したが、これに限定されるものではなく、例えば、ラックやレール等に配設される電子機器に筐体係合装置を適用してもよい。
また、筐体係合装置の上下に一対のレバー部材を用いる場合を説明したが、用途に応じて、左右に一対のレバー部材を用いるようにしてもよい。また、電子機器を収容する筐体にレバー部材を設ける場合を説明したが、レバー部材と挿入部を設ける部材を逆にして（レバー部材を蓋体に、挿入部を筐体に設けて）、解除動作時に筐体を押圧するようにしてもよい。また、レバー部材を二対またはそれ以上用いるようにしてもよく、あるいは一つのみ用いるようにしてもよい。
【００２３】
また、レバー部材の突出部は、完全に上側に持ち上った解除状態において、筐体に形成するように形成されるようにしてもよい。この場合には、解除状態においてレバー部材の姿勢が安定するため、解除状態であることをより確実に視認できる。
また、レバー部材は、解除状態であることを示す解除状態表示部（例えば、ＵＮＬＯＣＫ等の文字や模様、色）を有するようにしてもよい。解除状態表示部は、前記解除状態にあるときには見える位置に、ロック状態にあるときには見えない位置となるように構成されることが好ましい。
また、レバー部材の係止部と押出部を共通化した場合について説明したが、係止部と押出部を別の位置に設けるようにしてもよく、例えば軸部３１および基部３５の内側に押出部を形成してもよい。
【符号の説明】
【００２４】
１…筐体係合装置を備えた電子機器、２…筐体、３…前面蓋体、
４…解除部材、５…係止穴、
２０…筐体係合装置、２１…筐体、２２…前面蓋体（蓋体）、
２３…フランジ部、３０…レバー部材、３１…軸部、３２…突出部、
３３…リブ部（係止部）、３４…押出部、３５…基部、３６…端部、
４０…挿入部、４１…外側壁面、４２…係止溝、４３…押出部当接面、４４…内側壁面、
４６…嵌合部、５０…パネル面（取付面）
【図１】
2017094054.tif 000003
【図２】
2017094054.tif 000004
【図３】
2017094054.tif 000005
【図４】
2017094054.tif 000006
【図５】
2017094054.tif 000007
【図６】
2017094054.tif 000008
【図７】
2017094054.tif 000009
【図８】
2017094054.tif 000010
【図９】
2017094054.tif 000011
【図１０】
2017094054.tif 000012
【手続補正書】
【提出日】平成30年3月7日(2018.3.7)
【手続補正１】
【補正対象書類名】特許請求の範囲
【補正対象項目名】全文
【補正方法】変更
【補正の内容】
【特許請求の範囲】
【請求項１】
電子機器を収容するための筐体であって、少なくとも一方に開口部を有する筐体と、
前記筐体の開口部を少なくとも部分的に覆う蓋体と、
前記筐体および前記蓋体のいずれかに揺動可能に設けられ、前記筐体および前記蓋体のロックおよび解除を行うための少なくとも一つのレバー部材と、を備え、
前記レバー部材は、
少なくとも解除状態において前記蓋体に対して突出してなる突出部と、
前記筐体および前記蓋体のいずれかに回動可能に設けられる軸部と、
前記突出部に対して角度をつけて設けられ、前記筐体および前記蓋体のいずれかを係止するように形成される係止部と、
前記突出部に作用する力を用いて前記蓋体を押し出すように形成される押出部と、
を備える、ことを特徴とする電子機器の筐体係合装置。
【請求項２】
前記レバー部材は、前記筐体に揺動可能に設けられ、
前記突出部は、前記レバー部材のロック状態において前記蓋体の外側に突出してなり、
前記係止部は、前記レバー部材のロック状態において前記蓋体を係止するように、前記突出部に直交して設けられ、
前記押出部は、前記レバー部材の解除状態において前記蓋体の面に接触して前記蓋体を押し出すように形成される、ことを特徴とする請求項１に記載の電子機器の筐体係合装置。
【請求項３】
前記軸部の両端には、Ｄカットが形成されている、ことを特徴とする請求項１または２に記載の電子機器の筐体係合装置。
【請求項４】
前記電子機器は、パネル面に取り付けられる、ことを特徴とする請求項１から３のいずれか１つに記載の電子機器の筐体係合装置。
【請求項５】
前記突出部は、前記解除状態において前記筐体に係止するように形成されている、ことを特徴とする請求項２に記載の電子機器の筐体係合装置。
【請求項６】
前記レバー部材は、前記解除状態であることを示す解除状態表示部を有し、
前記解除状態表示部は、前記解除状態にあるときには見える位置に、前記レバー部材のロック状態にあるときには見えない位置となるように構成されている、請求項１から５のいずれか１つに記載の電子機器の筐体係合装置。
【国際調査報告】
2017094054.tif 000013
2017094054.tif 000014
2017094054.tif 000015
2017094054.tif 000016